(57)【要約】【課題】本発明は、放送局などの外部装置から送信された区別情報に基づいて、ユーザに推薦番組情報を提供できる制御装置を提供する。【解決手段】レコーダー１は、コントローラ１４を備える。コントローラ１４は、複数の番組情報を取得する。コントローラ１４は、複数の番組情報のうち、一部の番組情報について、他の番組と区別する放送局区別情報を放送局から放送された情報から取得する。コントローラ１４は、放送局区別情報に基づいて、複数の番組情報の一部の推薦番組情報を表示画面として表示装置２に表示させる。【選択図】図１
2012033981.tif 000002
【特許請求の範囲】
【請求項１】
表示装置と接続可能な制御装置であって、
複数の番組に関する情報を取得する番組情報取得手段と、
前記複数の番組に関する情報のうち、一部の番組に関する情報について、他の番組と区別する区別情報を外部装置から取得する区別情報取得手段と、
前記区別情報取得手段で取得した区別情報に基づいて、前記複数の番組に関する情報の一部を表示画面として前記表示装置に表示させる表示制御手段と、
を備える制御装置。
【請求項２】
前記表示制御手段は、
前記区別情報取得手段から取得した区別情報に基づく一部の番組に関する情報のみを表示画面として前記表示装置に表示させる、
請求項１に記載の制御装置。
【請求項３】
前記外部装置は、自装置と異なる複数の装置と接続可能であり、
前記外部装置は、前記番組に関する情報に対応する番組の視聴に関する情報、録画に関する情報、又は、予約に関する情報のうち、少なくとも１つの情報を前記自装置と異なる複数の装置から取得可能であり、
前記区別情報は、前記番組の視聴に関する情報、録画に関する情報、又は、予約に関する情報の少なくとも１つの情報に基づく、
請求項１に記載の制御装置。
【請求項４】
前記請求項１の制御装置を備える録画機器。
【発明の詳細な説明】
【技術分野】
【０００１】
本発明は、放送局からの放送に含まれる番組ストリームに対応する番組情報を、ユーザに提供可能な制御装置に関する。なお、番組ストリームには、１つの番組に関する映像や音声、データ等が含まれている。
【背景技術】
【０００２】
近年、放送局からの放送に番組情報（例えば、ＥＰＧ情報）が含まれるようになった。このような背景に基づき、テレビ受像機や録画機器などでは、放送に含まれる番組情報を利用して、ユーザに番組情報を提供できるようになっている。
【０００３】
このような環境の変化に加えて、アナログ放送からデジタル放送への切り替えに伴い、テレビ受像機や録画機器などでは、受信できるチャンネル数が増加している。
【０００４】
このようなチャンネル数の増加によって、ユーザは、番組を選択できる幅が広がるといった利益を受けることができる。しかしながら、チャンネル数の増加に伴い、ユーザは、複数の番組から自分の見たい番組を探さなければならないといった不利益を受ける。
【０００５】
このような状況に鑑みて、従来では特許文献１のような技術が提案されている。特許文献１では、ユーザの視聴履歴を用いてユーザの嗜好を判定する。そして特許文献１では、ユーザの嗜好に基づいて推薦番組情報を提供する。
【特許文献１】特開２００２−１１２１８６号公報
【発明の開示】
【発明が解決しようとする課題】
【０００６】
ところで、特許文献１では、ユーザの嗜好に基づいて推薦番組情報を提供するようにしているが、他人の嗜好に基づいて推薦番組情報を提供するようなことは記載されていない。
【０００７】
このようにユーザの嗜好に基づいて推薦番組情報を提供する場合、例えば、ユーザの視聴履歴が十分でなければ、ユーザに有益な推薦番組情報を提供できない可能性がある。つまり、機器は、使用が開始された時点ではユーザの視聴情報を多く得ることができず、有益な情報をユーザに提供できない可能性がある。
【０００８】
そこで本発明は、上記課題を解決するために、機器（装置）の使用開始時点においても、より有益な推薦番組情報を提供できる制御装置又はこの制御装置を備える録画機器を提供することを目的とする。
【課題を解決するための手段】
【０００９】
本発明は、表示装置と接続可能な制御装置であって、複数の番組に関する情報を取得する番組情報取得手段と、前記複数の番組に関する情報のうち、一部の番組に関する情報について、他の番組と区別する区別情報を外部装置から取得する区別情報取得手段と、前記区別情報取得手段で取得した区別情報に基づいて、前記複数の番組に関する情報の一部を表示画面として前記表示装置に表示させる表示制御手段と、を備える。
【００１０】
このようにすれば、制御装置は、例えば、放送局などから送信された区別情報に基づいて、ユーザに推薦番組情報を提供できる。
【００１１】
また、好ましくは、前記表示制御手段は、前記区別情報取得手段から取得した区別情報に基づく一部の番組に関する情報のみを表示画面として前記表示装置に表示させる。
【００１２】
また、好ましくは、前記外部装置は、自装置と異なる複数の装置と接続可能であり、前記外部装置は、前記番組に関する情報に対応する番組の視聴に関する情報、録画に関する情報、又は、予約に関する情報のうち、少なくとも１つの情報を前記自装置と異なる複数の装置から取得可能である。そして前記区別情報は、前記番組の視聴に関する情報、録画に関する情報、又は、予約に関する情報の少なくとも１つの情報に基づく。
【００１３】
このようにすれば、制御装置は、他の機器のユーザの嗜好に基づいて、ユーザに推薦番組情報を提供できる。
【発明の効果】
【００１４】
すなわち、本発明によれば、装置の使用開始時点においても、より有益な推薦番組情報を提供できる。
【発明を実施するための最良の形態】
【００１５】
（実施の形態１）
以下、本発明の一実施の形態に係るレコーダー１を説明する。
【００１６】
〔１．実施の形態１の概要〕
レコーダー１は、放送局から放送を受信する。放送には、複数の番組ストリームが含まれている。なお、放送には、番組情報、及び／又は、放送局区別情報が含まれることがある。一方、レコーダー１は、放送局が持つサーバ装置からネットワーク４を介して他社嗜好区別情報を取得可能である。ここで放送局区別情報や他社嗜好区別情報は、複数の番組情報のうち、一部の番組情報について、他の番組情報と区別する情報である。
【００１７】
レコーダー１は、取得した放送局区別情報又は他社嗜好区別情報に基づいて、番組情報のうち一部の番組情報を推薦番組情報として、ユーザに提供する。つまり、レコーダー１は、推薦番組情報を示す表示画面を、表示装置２に出力する。表示装置２は、受信した表示画面を表示する。
【００１８】
〔２．レコーダー１と他の装置との関係（図１）〕
レコーダー１は、表示装置２、ネットワーク４及びアンテナ５と、有線又は無線で接続可能である。以下、レコーダー１と接続可能な装置の説明を行なう。
【００１９】
アンテナ５は、放送局（放送送信装置）からの放送を受信し、レコーダー１に送信する。アンテナ５は、例えば、ＵＨＦアンテナやパラボラアンテナなどで実現可能である。なお、放送局は、放送用の送信装置（放送送信装置）を用いて、電波を発生している。アンテナ５は、この電波を受信することで、番組情報を含む放送を取得する。
【００２０】
ネットワーク４は、放送局が持つサーバ装置６等に接続されており、例えば、サーバ装置６とレコーダー１を繋ぐ通信路となる。つまり、サーバ装置６は、ネットワーク４を介して、レコーダー１からの信号を受け付けることができる。また、サーバ装置６は、レコーダー１からの信号に応じて、自装置に記憶された情報をレコーダー１に送信することができる。例えば、サーバ装置６は、レコーダー１に、番組表を構成する複数の番組情報を送信することができる。
【００２１】
リモコン３は、ユーザの指示を受け付け、受け付けた指示に応じた操作信号をレコーダー１に送信するものである。リモコン３は、操作部３１と送信部３２を備えている。操作部３１は、複数の釦で構成され、ユーザによってこれら釦が操作されたことを検知する。送信部３２は、操作部３１が検知した操作に基づく操作信号を、レコーダー１に送信する。
【００２２】
表示装置２は、レコーダー１から送信された画面情報に基づいて、ディスプレー上に画面を表示する。表示装置２は、例えば、液晶ディスプレー、プラズマディスプレー、有機ＥＬディスプレーなどが考えられるがこれに限定されない。
【００２３】
ここでサーバ装置６は、レコーダー１と異なる複数の装置（レコーダーやテレビ受像機）ともネットワーク４を介して接続可能である。例えば、図３のようにサーバ装置６は、複数の装置（例えば、テレビ受像機２００、テレビ受像機３００、レコーダー４００、レコーダー５００）と、ネットワーク４を介して接続される。サーバ装置６は、複数の装置から録画予約履歴の情報、視聴予約履歴の情報、視聴履歴の情報、又は／及び、録画履歴の情報を受信することが可能である。録画予約履歴や視聴予約履歴の情報は、将来の番組情報に関する情報である。視聴履歴や録画履歴の情報は、過去の番組情報に関する情報である。なお、サーバ装置６に送信されるこれらの情報の詳細は、レコーダー１の構成で説明を行う。ここで本実施の形態では、レコーダー１が上記情報を送信できるように構成されているが、送信できなくてもかまわない。
【００２４】
サーバ装置６では、複数の装置から受け付けた録画予約履歴、視聴予約履歴、録画履歴や視聴履歴の情報をまとめる。例えば、サーバ装置６では、どの番組が最も多く予約されているかを集計する。また、サーバ装置６は、どの番組が最も多く録画されているかを集計する。集計した情報は、録画予約履歴の場合、例えば、図６のような情報になる。サーバ装置６は、集計した情報を他者嗜好区別情報として、レコーダー１に送信可能である。
【００２５】
サーバ装置６は、例えば、録画予約履歴の最も多かった番組情報から１５番目までの番組情報を他者嗜好区別情報として送信する。これによって、レコーダー１は、この録画予約履歴に基づいた推薦番組情報の提供が可能になる。
【００２６】
〔３．レコーダー１の構成（図１）〕
レコーダー１の構成を説明する。レコーダー１は、チューナ１１、フラッシュメモリ１２、バッファメモリ１３、コントローラ１４、入出力インターフェース１５、受信部１６、アンテナ用端子１７、メモリカードスロット７、ＬＡＮ用コネクタ１８及びドライブ装置１９等を備えてなる。なお、コントローラ１４は、タイマーを備えており、自装置のシステム時間を計数している。以下具体的に説明する。
【００２７】
チューナ１１は、同調回路を持つ装置である。チューナ１１は、アンテナ５で受信した放送を、アンテナ用端子１７を介して取得する。ここで放送には、1又は複数の番組ストリーム、及び、将来放送される番組ストリームに対応する番組情報が含まれている。番組ストリームは、動画像、音声やデータなどを有する。番組情報は、図２に示すように、１つの番組に対して、「放送日」、「開始時間」、「継続時間」、「放送局」、「番組名」、「縮小一部動画像」、「代表静止画」、「番組ジャンル」等のデータが含まれている。
「縮小一部動画像」は、番組ストリームに対して画素数が小さい動画像である。また、「縮小一部動画像」は、番組ストリームに対して再生時間が短い動画像である。例えば、番組ストリーム「映画ＡＢＣ」において、画面数が縦１０８０×横１９２０であり、再生時間が３時間である場合、この番組ストリームに対応する番組情報の「縮小一部動画像」は、画素数が縦４８０×横６４０ピクセル、再生時間が１０秒のようになる。「縮小一部動画像」は番組情報に含まれなくてもよい。
【００２８】
また、「代表静止画」には、例えば、番組ストリームの一部を切り出した静止画を、縮小したものが考えられる。番組ストリーム「映画ＡＢＣ」の画素数が縦１０８０×横１９２０ピクセルである場合、「代表静止画」は、番組ストリームの一部の画面を、縦４８０×横６４０ピクセルにしたものが考えられる。なお、「代表静止画」は、番組ストリームの一部の静止画と異なる静止画であってもよい。また、「代表静止画」は番組情報に含まれなくてもよい。
「番組ジャンル」は、一意の識別符号が割り付けてあり、この識別符号に基づいて、番組ストリームのジャンルを判別できる。本実施の形態では、「映画」は「２１１」、「スポーツ」は「３１１」、「アニメ」は「４１１」、「ドラマ」は「５１１」、「その他」は「９１１」のような識別符号が割り付けられている。
【００２９】
また、本実施の形態では、番組情報に付随して放送局区別情報が含まれている。この放送局区別情報は、放送局が付与した情報である。放送局区別情報は、番組情報に付加された状態で取得される。例えば、番組情報に付随する形で「お勧め番組」のデータとして取得される。「お勧め番組」のデータには、お勧めジャンル（お勧めするジャンル）とお勧めレベル（ジャンルにおける番組のお勧めレベル）の情報が含まれる。つまり、放送局は、「お勧め番組」のデータに、図７のような情報を含めることになる。この場合、放送局「ＡＢＪ」では、「映画ＡＢＣ」がジャンル「すべて」の中で、レベル「中」となる。また、放送局「ＡＢＪ」では、「映画ＡＢＣ」がジャンル「映画」の中で、レベル「高」となる。つまり、実施の形態では、「お勧め番組」のデータが複数含まれることもある。
【００３０】
チューナ１１は、放送から１つの番組ストリームを分離可能である。チューナ１１は、この分離された番組ストリームをデコードし、デコードされた番組ストリームをバッファメモリ１３に格納する。また、チューナ１１は、放送から番組情報（放送局区別情報も含む）を分離可能である。チューナ１１は、分離した番組情報（放送局区別情報を含む）をバッファメモリ１３に格納する。なお、本実施の形態では、番組ストリームをデコードする機能をチューナ１１に設けたが、コントローラ１４に設けてもかまわない。
【００３１】
コントローラ１４は、マイクロコンピュータで実現され、レコーダー１の各部を制御する。なお、コントローラ１４は、ハードワイヤードな回路で実現してもかまわない。
【００３２】
コントローラ１４は、チューナ１１によってバッファメモリ１３に格納された番組ストリームを取得する。コントローラ１４は、取得した番組ストリームをフラッシュメモリ１２に記憶することが可能である。また、コントローラ１４は、取得した番組ストリームをドライブ装置１９に送信して、ドライブ装置１９の記憶媒体１９１に記憶させることが可能である。
【００３３】
コントローラ１４は、チューナ１１によってバッファメモリ１３に格納された番組情報（放送局区別情報を含む）を取得する。コントローラ１４は、取得した番組情報（放送局区別情報を含む）を、フラッシュメモリ１２に記憶する。なお、本実施の形態では、放送に含まれる番組情報を用いた番組予約について説明を行うが、これに限られず、ネットワーク４を介して放送局などのサーバ装置６から取得できる番組情報を用いて番組予約を行なってもよい。この場合、コントローラ１４は、所望のタイミング（例えば、ユーザに対して番組情報を提供するタイミング）で、サーバ装置６に番組情報を要求する要求信号を送信する。サーバ装置６は、要求信号を受け付けると、複数の番組情報を送信する。これによってコントローラ１４は、サーバ装置６から番組情報を取得することができる。
【００３４】
同様の方法で、コントローラ１４は、区別情報要求信号をサーバ装置６から取得できる。つまり、コントローラ１４は、サーバ装置６に区別情報要求信号を送信する。そしてサーバ装置６は、レコーダー１から区別情報要求信号を受け付けると、他者嗜好区別情報をコントローラ１４に送信する。
【００３５】
コントローラ１４は、リモコン３から送信された操作信号を、受信部１６を介して受信可能である。受信部１６は、リモコン３から送信される情報を受信するセンサである。受信部１６は、受信した情報をコントローラ１４に送信する。受信部１６は、例えば、赤外線センサなどで実現可能である。
【００３６】
コントローラ１４は、サーバ装置６から送信された情報を、ＬＡＮ用コネクタ１８を介して取得する。コントローラ１４は、取得した情報（例えば、他者嗜好区別情報）をフラッシュメモリ１２に記憶する。
【００３７】
コントローラ１４は、入出力インターフェース１５を介して、表示装置２に番組ストリームや画面情報を送信することが可能である。表示装置２は、コントローラ１４から受信した情報に基づいてディスプレー上に表示画面を表示する。
【００３８】
バッファメモリ１３は、コントローラ１４で制御処理を行う際に、ワークメモリとして作用する。バッファメモリ１３は、例えば、ＤＲＡＭなどで実現可能である。
【００３９】
フラッシュメモリ１２は、内蔵メモリとして用いられる。フラッシュメモリ１２は、アンテナ用端子１７の制御のためのプログラムや設定値などを記憶可能である。また、フラッシュメモリ１２は、番組情報、放送局区別情報、他者嗜好区別情報や番組ストリームを記憶可能である。
【００４０】
ドライブ装置１９は、例えば、ハードディスクドライブやＢＤドライブで実現可能である。ドライブ装置１９は、コントローラ１４から送信された番組ストリームを、記憶媒体１９１に記憶する。なお、ドライブ装置１９が番組ストリームを記憶する記憶媒体１９１は、予めレコーダー１に設けられるハードディスクのようなものであってもよいし、ＢＤやＤＶＤのように取り替え可能な記録メディアであってもよい。
【００４１】
メモリカードスロット７は、メモリカード８を装着可能なものである。メモリカード８は、市販のムービーやデジタルカメラに装着可能であり、ムービーで撮影した動画データやデジタルカメラで撮影した静止画データなどが記憶可能である。
【００４２】
ここで、レコーダー１は、サーバ装置６に録画予約履歴、視聴予約履歴、録画履歴及び視聴履歴を示す情報を送信可能である。以下では、これらの情報が、レコーダー１内でどのように生成され、どのようにサーバ装置に送信されるかを説明する。
【００４３】
録画予約履歴を示す情報から説明を行う。コントローラ１４は、ユーザの指示に基づいて、録画予約を受け付けると、この録画予約を受け付けた番組情報を、録画予約リスト（つまり、録画予約履歴）としてフラッシュメモリ１２に記憶する。例えば、レコーダー１において、表示装置２に表示させた番組表（図４）に基づいて、「映画ＡＢＣ」の録画予約を受け付けた場合、「映画ＡＢＣ」の番組情報を、録画予約リストに追加する。この際、コントローラ１４は、録画予約設定日時を、レコーダー１のシステム時間に基づいて追加する。録画予約リストは、例えば、図８のようになる。コントローラ１４は、追加された録画予約リスト（履歴）の情報を、サーバ装置にアクセスする毎に送信する。つまり、コントローラ１４は、サーバ装置にアクセスした際、録画予約リストに前回のアクセスから新たな追加があれば、その録画予約履歴の情報を、サーバ装置に送信する。例えば、コントローラ１４は、前回のアクセス日時が「２００８年１１月１０日  １７：００」であり、今回のアクセス日時が「２００８年１１月２０日  １７：００」である場合、前回から今回までに録画予約リストに追加された情報を、サーバ装置６に送信する。例えば、図８では、番組名「映画ＡＢＣ」及び「ドラマＸＹＺ」に関する番組情報が、サーバ装置６に送信される。
【００４４】
アクセス日時は、サーバ装置にアクセスした際にコントローラ１４によってフラッシュメモリ１２に記憶される。上記例の場合、コントローラ１４は、「２００８年１１月２０日  １７：００」を前回のアクセス日時として、フラッシュメモリ１２に記憶する。なお、視聴予約履歴は、上記と同様の方法で生成され、送信される。
【００４５】
次に、録画履歴を示す情報の説明を行う。コントローラ１４は、録画予約リストに基づいて番組ストリームの録画を行う。またコントローラ１４は、ユーザの録画指示に基づいて、現在放送されている番組ストリームの録画を行う。ここで、コントローラ１４は、番組ストリームを録画する際、この録画した番組ストリームの番組情報を、録画リスト（履歴）としてフラッシュメモリ１２に記憶する。例えば、録画リストは、図９のようになる。上記と同様に、コントローラ１４は、サーバ装置に対する前回のアクセスから今回のアクセスまでに録画された録画リスト（履歴）の情報をサーバ装置に送信する。なお、視聴履歴は、上記と同様の方法で生成され、送信される。
【００４６】
本実施の形態では、レコーダー１からサーバ装置６に送信される情報の例として、録画予約履歴、録画履歴、視聴予約履歴、視聴履歴の情報の説明を行なった。他のレコーダー４００、５００でも同様の情報をサーバ装置６に送信することが可能である。また、テレビ受像機２００、３００でも、同様の情報をサーバ装置６に送信することが可能である。これによって、サーバ装置６は、複数の装置から録画予約履歴、視聴予約履歴、録画履歴、視聴履歴等の情報を集める（取得する）ことが可能になる。
【００４７】
なお、レコーダー１は、図示しないが、家庭用電源に接続可能に構成され、家庭用電源から各部に電力が供給されて稼動する。電源については、特に限定されない。したがって、例えば、２次電池の電力に基づいて稼動するようにしてもかまわない。
【００４８】
〔４．レコーダー１の動作〕
上述したレコーダー１の動作例を説明する。レコーダー１は、番組情報に基づいた録画予約の機能を実現している。この機能を説明しつつ、本発明の一例を実施の形態に適用して説明する。本実施の形態において、レコーダー１は、放送局からの放送から番組情報と放送局区別情報を取得可能である。また、レコーダー１は、サーバ装置６から他者嗜好区別情報を取得可能である。つまり、この動作例では、レコーダー１は、放送局の放送から番組情報を取得し、サーバ装置６から番組情報を取得しない。
【００４９】
まず、従来の電子番組表に基づいた録画予約を説明する。コントローラ１４は、ユーザから電子番組表を表示する旨の指示（リモコン３からの操作信号）を受け付けた場合、フラッシュメモリ１２に記憶された複数の番組情報（例えば、番組名）を読み出し、読み出した番組情報を表示画面に変換して、表示装置２に出力する。表示装置２では、例えば、図４のような表示画面（電子番組表）が表示されることになる。表示装置２には、開始時間とチャンネルで規定される二次元状マトリックスに、複数の番組名が組み込まれて、画面上に表示されている。
【００５０】
この際、ユーザは、リモコン３を操作して、複数の番組から所望の番組を選択することができる。ユーザによって所望の番組が選択されると、図５のような所望の番組を示す表示画面が表示装置２に表示される。ユーザは、選択した番組の予約指示を行なうことができる。コントローラ１４は、リモコン３からの操作信号に応じて、番組表から選択された番組の予約指示を受け付ける。そしてコントローラ１４は、予約指示を受け付けた番組の番組情報をフラッシュメモリ１２に録画予約リストとして記憶する。
【００５１】
この後、コントローラ１４は、この録画予約リストにある番組情報に基づいて録画を行なう。レコーダー１の録画動作を簡単に説明する。コントローラ１４は、録画予約リストにある番組情報の開始時間が、レコーダー１が持つシステム時間になると、番組情報に含まれる放送局、つまり、チャンネルにチューナ１１を設定する。システム時間は、コントローラ１４に設けられるタイマーによって計数される。コントローラ１４は、チューナ１１によってバッファメモリ１３に格納された番組ストリームをドライブ装置１９に送信し、この番組ストリームをドライブ装置１９によって記憶媒体１９１に記憶させる。そしてコントローラ１４は、レコーダー１のシステム時間を用いて、開始時間から継続時間経過したことを検知すると、チューナ１１における番組ストリームの選択を停止させる。また、コントローラ１４は、ドライブ装置１９に対する番組ストリームの送信も停止する。これによって番組ストリームの録画が終了する。この際、コントローラ１４は、番組情報を録画リストに追加して、フラッシュメモリ１２に記憶する。また、コントローラ１４は、番組情報をドライブ装置１９に送信する。ドライブ装置１９は、この番組情報を、先程録画した番組ストリームに関連させて、記憶媒体１９１に記憶する。
【００５２】
なお、録画予約リストに基づく録画は、従来技術であるため、これに限られず、種々な方法で実現できる。
【００５３】
次に、本実施の形態に係るレコーダー１の動作例を説明する。
【００５４】
本実施の形態では、上記に示した図４のような番組情報以外に、推薦番組情報を示す表示画面を表示装置２に表示させることができる。推薦番組情報を示す表示画面は、例えば、図１５のような表示画面が考えられる。以下具体的に説明する。
【００５５】
まず、レコーダー１は、電源がＯＮに設定されると、メニュー画面として、図１０のような表示画面を、表示装置２に表示させる。図１０は、複数の選択項目を含んだ表示画面である。複数の選択項目には、「テレビを見る」、「録画した番組を見る」、「写真を見る」、「撮影ビデオを見る」、「番組表で録画予約する」、「お勧め番組情報で録画予約する」などが含まれている。今回の主のポイントとなる選択項目は、「お勧め番組情報で録画予約する」であるが、これ以外のポイントについても簡単に説明しておく。
【００５６】
ユーザは、リモコン３に設けられた上下キーを操作することで、複数の選択項目から１つの選択項目を選択可能である。つまり、レコーダー１は、リモコン３の上下キーが操作されると、選択項目の選択を切り替える。また、レコーダー１は、リモコン３の決定キーが操作されると、選択された選択項目に応じて、次の表示画面を表示させる。
【００５７】
ここで本実施の形態では、記憶媒体１９１に記憶されている番組ストリーム、又は、メモリカード８に記憶された動画データからユーザが再生したいデータを簡単に探せるようにするため、「録画した番組を見る」、又は、「撮影ビデオを見る」の選択項目が選択された場合、次の動作を行うようにしている。なお、下記の動作は、リモコン３によって選択項目が選択された状態での動作であり、選択項目が決定された状態での動作を表しているわけではない。
【００５８】
具体的には、ユーザの指示（リモコン３からの操作信号）に応じて、選択項目「録画した番組を見る」が選択されると、コントローラ１４は、ドライブ装置１９の記録媒体１９１に録画されている番組ストリームの中から、所定又は任意の数の番組ストリームを一部だけ読み出す。この後、コントローラ１４は、読み出した一部の番組ストリームを復号化し、複合化した番組ストリームを表示画面上に順次表示させる。
【００５９】
例えば、ドライブ装置１９の記録媒体１９１に、「番組Ａ」と「番組Ｂ」と「番組Ｃ」と「番組Ｄ」が記録されている場合、コントローラ１４は、所定の数（例えば、３つ）の番組として、「番組Ａ」「番組Ｂ」「番組Ｃ」のデータを一部だけ読み出す。コントローラ１４は、読み出したデータを復号化して、バッファメモリ１３に記憶する。なお、コントローラ１４が読み出す番組は、録画した日時の新しいものを選択して、読み出すとよい。例えば、上述したようにドライブ装置１９が記録媒体１９１に番組ストリームを記録する際、番組ストリームに番組情報を関連付けて記録していれば、関連付けて記録された番組情報から、番組の「放送日」及び「開始時間」を読み出すことで、録画した日時の新しいものを選択できる。つまり、コントローラ１４は、記録媒体１９１に関連付けて記録された番組情報から、「放送日」及び「開始時間」を読み出す。そして、コントローラ１４は、読み出した「放送日」及び「開始時間」により、自装置のシステム時間と近いものを探索する。この後、コントローラ１４は、自装置のシステム時間と近い番組情報に対応する番組ストリームを読み出す対象の番組として読み出す。このようにすれば、ユーザは、容易に見たい番組を探すことが出来ると共に、番組が録画されたことを容易に知ることができる。
【００６０】
説明に戻って、つまり、コントローラ１４は、図１１Ａ〜Ｃのように、バッファメモリ１３「番組Ａ」の動画像を１０秒間表示させ、次に「番組Ｂ」の動画像を１０秒間表示させ、そして「番組Ｃ」の動画像を１０秒間表示させる。コントローラ１４は、この「番組Ｃ」の表示が終わると、再度「番組Ａ」の動画像を１０秒間表示させる。コントローラ１４は、この動作を、選択項目「録画した番組を見る」が選択されている間、繰り返す。
【００６１】
なお、本実施の形態では、コントローラ１４が番組ストリームから一部の動画像を生成して、表示装置２に表示させるようにした。しかし、これに限らず、番組情報に「縮小一部動画像」が含まれていれば、コントローラ１４は、その動画像データである「縮小一部動画像」を読み出して、表示装置２に表示させればよい。
【００６２】
なお、本実施の形態では、「撮影ビデオを見る」が選択された場合も同様の動作を行う。
【００６３】
また、本実施の形態では、メモリカード８に記憶された静止画データ（デジタルカメラで撮影された静止画データ）からユーザが再生したいデータを簡単に探せるようにするため、「写真を見る」の選択項目が選択された場合、次の動作を行うようにしている。なお、下記の動作は、リモコン３によって選択項目が選択された状態での動作であり、決定された状態での動作を表しているわけではない。
【００６４】
具体的には、ユーザの指示に応じて、選択項目「写真を見る」が選択されると、コントローラ１４は、メモリカード８に記憶されたデータの中から、所定又は任意の数の静止画データのサムネイル画像を読み出す。この後、コントローラ１４は、読み出した静止画データのサムネイル画像を表示画面上に表示させる。
【００６５】
例えば、メモリカード８に「２００８年１０月１９日」撮影の静止画データが５０枚、「２００８年５月７日」撮影の静止画データが３５枚記録されているとする。この場合、コントローラ１４は、「２００８年１０月１９日」に撮影された静止画データ（５０枚）のサムネイル画像を読み出す。このようにコントローラ１４は、最も近い時期に撮影された画像データ（サムネイル画像）を読み出して、表示装置２に表示させる。このようにすれば、ユーザは、容易に見たい写真を探すことが出来る。
【００６６】
上記説明に戻って、コントローラ１４は、読み出した画像データ（サムネイル画像）を１画面に複数（例えば、１６枚）含めるように表示画面を生成する。例えば、図１２のように、縦に４枚並べた表示画面を１つ作成する。ここでコントローラ１４は、表示画面の流れるような表示を可能にするため、図１３Ａのように、縦４×横５の表示画面を生成する。そして、コントローラ１４は、図１３Ｂ、Ｃのように、写真の表示が横方向に少しずつずれる様に表示装置２に表示させる。つまり、表示装置２には、図１２のような縦４×横４の表示画面が表示される。コントローラ１４は、表示画面がずれて最初の１列の表示が完了すると、次に表示させる列の表示画面を生成する。このようにして、コントローラ１４は、表示装置２にサムネイル画像を順次表示させる。
【００６７】
本実施の形態では、コントローラ１４は、５０枚のサムネイル画像を読み出している。したがって、縦に４枚ずつサムネイル画像を表示した場合、最初に生成した表示画面を用いると、図１４Ａのように５０枚目の次の行の画像データがなくなってしまう。そこで本実施の形態では、図１４Ｂのように５０枚目の下の行に１枚目と２枚目の画像データを表示させるようにしている。このようにすれば、５０枚の画像データを複数回繰り返して表示した場合であっても、見た目が良い表示画面を提供できる。なお、メモリカードに記憶された静止画データに限らず、ドライブ装置１９の記録媒体１９１に記録された静止画データであってもよい。
【００６８】
では、本実施の形態の主のポイントを説明する。ユーザの指示に応じて、「お勧め番組情報で録画予約する」が選択され、決定されると、コントローラ１４は、図１５や図１６のような表示画面を表示装置２に表示させる。この表示画面には、「放送局によるお勧め」と「他の機器のユーザによるお勧め」の選択項目が含まれている。以下、「放送局によるお勧め」と「他の機器のユーザによるお勧め」とを分けて説明を行う。
【００６９】
「放送局によるお勧め」は、放送に含まれる番組情報と、番組情報に付随する放送局区別情報に基づいて行われる。以下、具体的に説明する。
【００７０】
まず、コントローラ１４は、放送局区別情報に基づいて、複数の番組情報の中から、推薦番組情報を選択し、選択した推薦番組情報を示す表示画面を表示装置２に表示させる。具体的には、コントローラ１４は、図７のような番組情報と放送局区別情報が存在する場合、「お勧め番組」のデータにおける、「お勧めジャンル」が「すべて」で、「お勧めレベル」が「高」、「中」の番組情報を読み出し、推薦番組情報を示す表示画面を生成する。具体的には、コントローラ１４は、「番組名」、「代表静止画」等を読み出して、表示画面を生成する。そして、コントローラ１４は、例えば、図１５のような推薦番組情報を示す表示画面を表示装置２に表示させる。なお、推薦番組情報を示す表示画面は、「お勧めレベル」が「高」と「中」で表示の大きさを異なるようにしている。これによって、ユーザは、放送局のお勧め度合いを容易に把握できるようになる。なお、ユーザは、表示された放送局のお勧め番組を選択して、録画予約することも可能である。この方法は、番組表に基づく録画予約と同様の方法で実現できる。
ここで図１５には、番組をお勧めするジャンルのタブが設けられている。したがって、ユーザは、リモコン３操作によって、このタブを選択して、決定すると、そのタブに関するお勧めを見ることができる。例えば、ユーザがタブ「映画」を選択決定した場合、コントローラ１４は、「お勧め番組」のデータにおける、「お勧めジャンル」が「映画」で、「お勧めレベル」が「高」、「中」である番組情報を読み出す。そしてコントローラ１４は、ジャンル「映画」に関して推薦番組情報を示す表示画面を生成して、表示装置２に表示させる（図１６）。
【００７１】
次に、「他の機器のユーザによるお勧め」は、放送に含まれる番組情報と、サーバ装置から取得される他者嗜好区別情報に基づいて行われる。以下、具体的に説明する。本実施の形態では、他者嗜好区別情報は、他者の録画予約履歴に基づく情報である場合を例にして説明する。
【００７２】
まず、コントローラ１４は、他者嗜好区別情報に基づいて、複数の番組情報の中から、推薦番組情報を選択し、選択した推薦番組情報を示す表示画面を表示装置２に表示させる。コントローラ１４は、他者嗜好情報として、例えば、図６に基づいた図１７のような情報を取得可能である。取得される情報は、サーバ装置６において、複数の装置の録画予約履歴の情報に基づいて生成されたものである。
【００７３】
コントローラ１４は、例えば、他者嗜好番組情報に含まれる「番組名」に基づいて、他者嗜好区別情報に含まれる番組情報が録画予約可能か否かを判別し、録画予約可能なものだけを含んだ表示画面を生成する。「番組名」に基づいた録画予約可能か否かの判断は、以下の方法で実現可能である。例えば、コントローラ１４は、フラッシュメモリ１４に記憶された複数の番組情報から、上記「番組名」が含まれる番組情報を検索する。コントローラ１４は、このようにして検索された番組情報から、「放送局」の情報を取得する。そしてコントローラ１４は、この読み出した「放送局」の情報が、受信機に設置するカード（例えば、Ｂ−ＣＡＳカード）の契約情報に含まれているか否かを判別する。これによってコントローラ１４は、録画予約可能か否かを判別することができる。なお、受信機に設置されるカードは、ＩＣチップを保持しており、ＩＣチップ内に契約情報等が記憶されている。
【００７４】
上記のように構成にすれば、レコーダーは、ユーザが録画予約できない番組情報を、推薦番組情報として表示装置に表示させるといったことを軽減できる。録画予約不可能な番組情報としては、使用機器に関してユーザが契約していない放送局の番組情報や過去の番組情報なども考えられる。コントローラ１４で生成される表示画面としては、図１８のような表示画面が考えられる。この場合、他者嗜好区別情報に含まれる「録画予約数」を、表示画面に含むようにしている。これによって、ユーザは、推薦表示された番組情報がどの程度人気があるのかを容易に判断できる。本実施の形態では、他者嗜好区別情報が、他者の録画予約履歴の情報に基づくとした。しかし、これに限られず、他者嗜好区別情報が、視聴予約履歴、録画履歴などの他の情報に基づいてもかまわない。なお、ユーザは、表示された放送局のお勧め番組を選択して、録画予約することも可能である。この方法は、番組表に基づく録画予約と同様の方法で実現できる。
【００７５】
〔５．実施の形態と本発明の対応〕
レコーダー１は、本発明の録画機器の一例である。また、コントローラ１４は、本発明の制御装置の一例である。表示装置２は、本発明の表示装置の一例である。コントローラ１４は、本発明の番組情報取得手段、区別情報取得手段、及び表示制御手段の一例である。
【００７６】
また、放送局区別情報及び他者嗜好区別情報は、本発明の区別情報の一例である。放送局の放送送信装置及び放送局のサーバ装置は、本発明の外部装置の一例である。
【００７７】
〔６．まとめ〕
本実施の形態のレコーダー１は、コントローラ１４を備える。コントローラ１４は、複数の番組情報を取得する。コントローラ１４は、複数の番組情報のうち、一部の番組情報について、他の番組と区別する放送局区別情報を放送局から放送された情報から取得する。コントローラ１４は、放送局区別情報に基づいて、複数の番組情報の一部の推薦番組情報を表示画面として表示装置２に表示させる。
【００７８】
このようにすれば、レコーダーは、例えば、放送局などから送信された放送局区別情報に基づいて、ユーザに推薦番組情報を提供できる。
【００７９】
（他の実施の形態）
本発明の実施の形態として、実施の形態１を例示した。しかし、本発明は、実施の形態１に限定されず、他の実施の形態においても実現可能である。そこで、本発明の他の実施の形態を以下にまとめて説明する。
【００８０】
実施の形態では、レコーダー１に設けられたコントローラ１４を制御装置の一例として説明を行なった。しかし、これに限られず、テレビ受像機に設けられるＬＳＩに適用してもかまわない。この場合、例えば、テレビ受像機は、ハードディスクドライブを備えて、ハードディスクに番組ストリームを録画すればよい。
【００８１】
また、実施の形態では、レコーダーと表示装置を有線で接続した。しかし、これに限られず、無線で接続してもかまわない。また、レコーダーと表示装置は、直接接続してもよいし、間にセットトップボックスなどの他の装置を介してもよい。
【００８２】
すなわち、本発明は、上記実施の形態に限られず、種々の形態で実施可能である。
【産業上の利用可能性】
【００８３】
本発明の制御装置は、ＢＤやＤＶＤなどのレコーダーに設けられるシステムＬＳＩなどに適用可能である。また、本発明の制御装置は、テレビ受像機に設けられるシステムＬＳＩなどに適用可能である。
【図面の簡単な説明】
【００８４】
【図１】本発明の実施の形態１に係るレコーダー1の構成例を示すブロック図
【図２】本発明の実施の形態１に係る番組情報の一例を示す図
【図３】本発明の実施の形態１に係るサーバ装置６と他の装置との関係を示す図
【図４】本発明の実施の形態１に係る表示画面例を示す図
【図５】本発明の実施の形態１に係る表示画面例を示す図
【図６】本発明の実施の形態１に係る録画予約履歴のランキング情報を説明するための図
【図７】本発明の実施の形態１に係る番組情報を説明するための図
【図８】本発明の実施の形態１に係る録画予約リストを説明するための図
【図９】本発明の実施の形態１に係る録画リストを説明するための図
【図１０】本発明の実施の形態１に係るメニュー画面の表示画面例を示す図
【図１１】本発明の実施の形態１に係るメニュー画面の動画に関する表示画面例を示す図
【図１２】本発明の実施の形態１に係るメニュー画面の静止画に関する表示画面例を示す図
【図１３】本発明の実施の形態１に係るメニュー画面の静止画に関する表示画面の遷移を説明するための図
【図１４】本発明の実施の形態１に係る静止画に関する表示画面を構成する写真の位置関係を説明するための図
【図１５】本発明の実施の形態１に係る放送局区別情報に基づく表示画面例を説明するための図
【図１６】本発明の実施の形態１に係る放送局区別情報に基づく表示画面例を説明するための図
【図１７】本発明の実施の形態１に係る他者嗜好区別情報を説明するための図
【図１８】本発明の実施の形態１に係る他者嗜好区別情報に基づく表示画面例を説明するための図
【符号の説明】
【００８５】
１    レコーダー
１１    チューナ
１２    フラッシュメモリ
１３    バッファメモリ
１４    コントローラ
１５    入出力インターフェース
１６    受信部
１７    アンテナ用端子
１８    ＬＡＮ用コネクタ
１９    ドライブ装置
１９１    記憶媒体
２    表示装置
３    リモコン
３１    操作部
３２    送信部
４    ネットワーク
５    アンテナ
６    サーバ装置
７    メモリカードスロット
８    メモリカード
【図１】
2012033981.tif 000003
【図２】
2012033981.tif 000004
【図３】
2012033981.tif 000005
【図４】
2012033981.tif 000006
【図５】
2012033981.tif 000007
【図６】
2012033981.tif 000008
【図７】
2012033981.tif 000009
【図８】
2012033981.tif 000010
【図９】
2012033981.tif 000011
【図１０】
2012033981.tif 000012
【図１２】
2012033981.tif 000013
【図１３】
2012033981.tif 000014
【図１４】
2012033981.tif 000015
【図１５】
2012033981.tif 000016
【図１６】
2012033981.tif 000017
【図１７】
2012033981.tif 000018
【図１８】
2012033981.tif 000019
【図１１】
2012033981.tif 000020